(57)【要約】【課題】容易な操作で、電話帳内の、ユーザの所望する電話番号等の情報が検索結果として得られる携帯通信機器を提供する。【解決手段】Ｓ１０５１で、現在の検索の種類に応じたリスト内に、ユーザから入力された文字に対応するデータが無いと判断されると、Ｓ１０５３で、対応するデータがあるべき位置の次の位置にあるデータを先頭に、現在の検索の種類に応じたリストに挙げられた順に、データが取出される。たとえば、フリガナについて検索が行なわれ、フリガナ順リストにおいて、「サタケサン」、「タカギサン」とデータが並べられているときに、「ス」という文字が入力されたとすると、「ス」という頭文字のデータがあるべき位置は「サタケサン」と「タカギサン」の間の位置であり、「ス」という頭文字のデータがあるべき位置の次の位置にあるデータとは、「タカギサン」というフリガナを有するデータである。【選択図】        図６
2004357185.tif 000002
【特許請求の範囲】
【請求項１】
名前とその名前に対応する電話番号とを関連付けて記憶する電話帳記憶手段と、
仮名文字または数字を入力する文字入力手段と、
前記電話帳記憶手段に記憶された名前の中から、前記入力手段に入力された仮名文字または数字に対応する名前を検索する検索手段とを含む、携帯通信機器。
【請求項２】
前記検索手段は、前記文字入力手段に複数の仮名文字または数字が入力された場合、当該入力された複数の仮名文字または数字のすべてに応じて、順次、検索結果に対する絞込みを行なう、請求項１に記載の携帯通信機器。
【請求項３】
前記検索手段は、前記電話帳記憶手段に記憶された名前の中から、前記入力手段に入力された仮名文字または数字に対応する名前を検索できなかった場合には、当該入力された仮名文字または数字との対応関係が所定の条件に従って最も近い名前を検索結果とする、請求項１または請求項２に記載の携帯通信機器。
【請求項４】
前記入力手段に入力された仮名文字または数字と、前記検索手段による検索結果とを表示する表示手段をさらに含む、請求項１〜請求項３のいずれかに記載の携帯通信機器。
【請求項５】
前記検索手段は、複数種類の検索動作の中から１の種類の検索動作を実行可能であり、
前記検索手段に検索動作を開始させるために操作される検索動作開始手段と、
前記検索手段に対して、実行する検索動作の種類を指定する種類指定手段と、
前記検索動作開始手段を操作されることにより前記検索手段に検索動作を開始させる検索制御手段とをさらに含み、
前記検索制御手段は、前記検索動作開始手段が操作されることにより、予め定められた１の種類の検索動作で、前記検索手段に検索を開始させる、請求項１〜請求項４のいずれかに記載の携帯通信機器。
【請求項６】
前記予め定められた１の種類は、前記検索手段が前回行なった検索動作の種類である、請求項５に記載の携帯通信機器。
【発明の詳細な説明】
【０００１】
【発明の属する技術分野】
本発明は、携帯通信機器に関し、特に、名前とその名前に対応した電話番号とを関連付けて登録可能な電話帳を記憶する携帯通信機器に関する。
【０００２】
【従来の技術】
従来から、名前とその名前に対応した種々の情報とを関連付けて登録可能な電話帳を記憶する通信機器については、種々の技術が開示されている。たとえば特許文献１には、タッチ入力部により入力された頭文字の１文字または２〜３文字に対応するすべての氏名とその電話番号や住所を、予め登録されたものからリストアップして電話帳のように表示させる多機能電話機が開示されている。
【０００３】
また、電話帳を記憶する携帯通信機器については、特許文献２には、「国」等の１文字を入力されるごとにそれまで入力された文字列を含む名前が電話帳にあるかを検索し、あったときに、その名前の全文字列と対応する電話番号とを候補として表示し、さらに、表示された候補を確定して発信できるものが開示されている。
【０００４】
【特許文献１】
特開平２−２５４８４２号公報
【０００５】
【特許文献２】
特開２０００−２８６９４９公報
【０００６】
【発明が解決しようとする課題】
従来から、より容易な操作によって、ユーザの所望する電話番号等の情報が検索結果として得られることが切望されてきた。特に、携帯通信機器では、機器が携帯性を備えているため、装置が小型化されており、このことから、ユーザが操作を行なう部分も比較的小型化されている。このため、携帯通信機器では、より一層、より容易な操作によってユーザの所望する電話番号等の情報が検索結果として得られることが望まれる。
【０００７】
本発明は上述したかかる実情に鑑み考え出されたものであり、その目的は、容易な操作で、電話帳内の、ユーザの所望する電話番号等の情報が検索結果として得られる携帯通信機器を提供することである。
【０００８】
【課題を解決するための手段】
本発明のある局面に従った携帯通信機器は、名前とその名前に対応する電話番号とを関連付けて記憶する電話帳記憶手段と、仮名文字または数字を入力する文字入力手段と、前記電話帳記憶手段に記憶された名前の中から、前記入力手段に入力された仮名文字または数字に対応する名前を検索する検索手段とを含むことを特徴とする。
【０００９】
また、本発明に従った携帯通信機器では、前記検索手段は、前記文字入力手段に複数の仮名文字または数字が入力された場合、当該入力された複数の仮名文字または数字のすべてに応じて、順次、検索結果に対する絞込みを行なうことが好ましい。
【００１０】
また、本発明に従った携帯通信機器では、前記検索手段は、前記電話帳記憶手段に記憶された名前の中から、前記入力手段に入力された仮名文字または数字に対応する名前を検索できなかった場合には、当該入力された仮名文字または数字との対応関係が所定の条件に従って最も近い名前を検索結果とすることが好ましい。
【００１１】
また、本発明に従った携帯通信機器は、前記入力手段に入力された仮名文字または数字と、前記検索手段による検索結果とを表示する表示手段をさらに含むことが好ましい。
【００１２】
また、本発明に従った携帯通信機器では、前記検索手段は、複数種類の検索動作の中から１の種類の検索動作を実行可能であり、前記検索手段に検索動作を開始させるために操作される検索動作開始手段と、前記検索手段に対して、実行する検索動作の種類を指定する種類指定手段と、前記検索動作開始手段を操作されることにより前記検索手段に検索動作を開始させる検索制御手段とをさらに含み、前記検索制御手段は、前記検索動作開始手段が操作されることにより、予め定められた１の種類の検索動作で、前記検索手段に検索を開始させることが好ましい。
【００１３】
また、本発明に従った携帯通信機器は、前記予め定められた１の種類は、前記検索手段が前回行なった検索動作の種類であることが好ましい。
【００１４】
【発明の実施の形態】
以下、図面を参照しつつ、本発明の一実施の形態であるカメラ付携帯電話機（以下、携帯電話と略す）について説明する。なお、以下の説明では、同一の部品には、特記された場合を除き、同一の符号が付され、それらの名称および機能も同じである。したがって、それらについての詳細な説明は繰り返さない。
【００１５】
図１には、携帯電話１のブロック構成が示され、図２および図３には、携帯電話１の外観が示されている。まず、図１〜図３を参照して、携帯電話１の概略構成について説明する。
【００１６】
携帯電話１は、被写体を撮影して画像データを出力するカメラ部３、液晶表示装置などからなる表示部１０、カメラ部３を起動させるために操作されるカメラキー１１、カメラ部３によるシャッタ動作のためおよび撮影して得られた画像データを保存するために操作されるシャッタボタン１２、通信のためのアンテナ１５、表示部１０に表示された内容に対して指示を入力するマルチキー３０、電話番号や文字（数字を含む）を入力するためい操作される複数のボタンからなるダイヤルボタン４０、電話をかけるときや受けるときに使用するボタンであり一般電話機の受話器を上げる動作と同じ役割をする開始ボタン１８、および、モードボタン１９を備える。マルチキー３０は、表示部１０に表示されたカーソルを上下左右にそれぞれ移動させるための上キー３１、下キー３３、左キー３２、および、右キー３４とが一体的に構成されたものである。
【００１７】
なお、各種操作のためのボタンやキーの種類および配置はこれに限定されない。例えば、表示部１０に表示される操作メニューの中から操作すべき項目を選択するようにしてもよい。
【００１８】
また、図２は、携帯電話１の、表示部１０やシャッタボタン１２等が備えられた面を示し、図３は、携帯電話１の、図２に示された面の裏面を示している。
【００１９】
また、携帯電話１は、各部を制御するためにＣＰＵ（Ｃｅｎｔｒａｌ  Ｐｒｏｃｅｓｓｉｎｇ  Ｕｎｉｔ）などのマイクロプロセッサを含む制御部２、ＣＣＤ（Ｃｈａｒｇｅ  Ｃｏｕｐｌｅｄ  Ｄｅｖｉｃｅ）１６を含むカメラ部３、ＲＡＭ（Ｒａｎｄｏｍ  Ａｃｃｅｓｓ  Ｍｅｍｏｒｙ）からなる作業用メモリ４、圧縮処理部２０を有し画像データを圧縮処理部２０でエンコード（圧縮）して保存処理するための保存処理部５、フラッシュメモリからなる保存用メモリ７、ＲＡＭからなる表示用メモリ８、表示ドライバ部９、表示部１０、カメラキー１１、シャッタボタン１２およびモードボタン１９、アンテナ１５を介した通信のための通信制御部１３、および、無線部１４を備える。制御部２は、携帯電話１の制御に用いるための各種プログラムデータ等を記録するためのメモリ２１を備えている。
【００２０】
携帯電話１は、周知の携帯電話機と同様に、通話機能、メール機能、Ｗｅｂ接続機能（コンピュータ等のネットワークへの接続機能）、および、電話帳機能を有している。電話帳機能では、たとえば、人物等の名前、電話番号、メールアドレス、ＵＲＬ（Ｕｎｉｆｏｒｍ  Ｒｅｓｏｕｒｃｅ  Ｌｏｃａｔｏｒ）、画像を含む種々のデータを、それぞれの人物等について互いに関連付けて、電話帳として、保存用メモリ７に記憶させることができる。また、携帯電話１は、カメラ部３において撮影された画像データを保存するカメラ機能を有している。カメラ部３において撮影された画像データは、作業用メモリ４に一旦保存され、そして、圧縮処理部２０でエンコードされて保存用メモリ７に保存される。
【００２１】
携帯電話１は、電話帳機能において、保存用メモリ７に記憶された電話帳から、ユーザから入力された文字や数字に応じた名前をリストアップして、表示部１０に表示させることができる。以下に、ＣＰＵ２の実行する処理を、このような電話帳機能において名前をリストアップする点を中心に、説明する。
【００２２】
なお、ＣＰＵ２の処理の前提として、保存用メモリ７における、住所録データの保存態様を説明する。
【００２３】
まず、保存用メモリ７には、複数の人についてのデータが、「住所録総合データ」として、保存されている。表１に、住所録総合データにおける、各人についてのデータの保存態様を示す。なお、表１には、各人についての複数の登録項目が、登録される内容とともに示されている。
【００２４】
【表１】
2004357185.tif 000003
【００２５】
表１から理解されるように、住所録総合データとして、各人の姓名が全角１６文字以内で登録され、フリガナが半角３２文字以内で登録され、グループ情報が「指定なし」または「グループ１」〜「グループ１９」のいずれかに指定されるように登録され、電話番号が２６桁以内で登録され、メールアドレスが５０バイト以内で登録され、パーソナルデータが全角３０文字以内で登録され、シークレット設定が「ＯＮ」または「ＯＦＦ」のいずれかで登録され、「シークレットコード」が登録しているアドレスで登録され、指定着信音としてその人からの電話の着信があった場合に指定される着信音の名称が登録され、指定メール着信音としてその人からのメール着信があった場合に指定される着信音の名称が登録され、指定着信ランプとしてその人からの電話の着信があった場合に指定されるランプ（携帯電話１に備えられたランプ、図１等では図示略）の点灯パターンがパターン１〜パターン８のいずれかで登録され、指定メール受信ランプとしてその人からのメール受信があった場合に指定されるランプ（携帯電話１に備えられたランプ、図１等では図示略）の点灯パターンがパターン１〜パターン８のいずれかで登録され、そして、その人から着信があった場合に表示部１０に表示させる画像の名称がマイピクチャコール設定として登録される。なお、指定着信音、指定メール着信音、指定着信ランプ、指定メール受信ランプ、および、マイピクチャコール設定は、「設定なし」としておくこともできる。そして、これらの各人の住所録総合データは、それぞれ、各人ごとに、メモリ番号に関連付けられて、保存されている。なお、メモリ番号は、１〜登録可能な件数までの番号を表す３桁の数字（番号）として登録される。
【００２６】
また、保存用メモリ７には、各人の住所録総合データのメモリ番号が種々の条件に応じた順に並べられたリストが保存されている。具体的には、保存用メモリ７には、このようなリストとして、表２に示す、住所録総合データにおけるメモリ番号について当該メモリ番号の順に並べられた「メモリ番号順リスト」と、表３に示す、住所録総合データにおけるフリガナについてのアイウエオ順であるフリガナ順に並べられた「フリガナ順リスト」と、表４に示す、住所録総合データにおけるグループについてグループに付けられた番号の小さい順に並べられたグループ順リストとが保存されている。
【００２７】
【表２】
2004357185.tif 000004
【００２８】
【表３】
2004357185.tif 000005
【００２９】
【表４】
2004357185.tif 000006
【００３０】
表３に示すように、住所録総合データに記憶されている各人のデータは、フリガナ順に並べられたとき、並べられたデータのメモリ番号は、０２９、０３１、００２…となる。また、表４に示すように、住所録総合データに記憶されている各人のデータは、グループ順に並べられたとき、並べられたデータのメモリ番号は、０１０、０３０、０３９となる。
【００３１】
図４は、ＣＰＵ２のメインルーチンのフローチャートである。
ＣＰＵ２は、ステップＳ１（以下、「ステップ」を省略する）で、ユーザから通話機能を使用する旨の操作がなされたか否か判断し、そのような操作があったと判断するとＳ２で、発呼を行なったりする通話モードの処理を実行した後、Ｓ１に処理を戻す。一方、そのような操作がなかったと判断すると、Ｓ３に処理を進める。
【００３２】
ＣＰＵ２は、Ｓ３で、ユーザからメール機能を使用する旨の操作がなされたか否か判断し、そのような操作があったと判断するとＳ４で、メール作成や送信等のメールモードの処理を実行し、Ｓ１に処理を戻す。一方、そのような操作がなかったと判断すると、Ｓ５に処理を進める。
【００３３】
ＣＰＵ２は、Ｓ５で、ユーザからＷｅｂ接続機能を使用する旨の操作がなされたか否か判断し、そのような操作があったと判断するとＳ６で、インターネット等のネットワークに接続する等のＷｅｂ接続モードの処理を実行し、Ｓ１に処理を戻す。一方、そのような操作がなかったと判断すると、Ｓ７に処理を進める。
【００３４】
ＣＰＵ２は、Ｓ７で、カメラ機能を使用する旨の操作がなされたか否か判断し、そのような操作があったと判断するとＳ８で、カメラ部３により撮影される画像を作業用メモリ４に保存する等のカメラモードの処理を実行し、Ｓ１に処理を戻す。一方、そのような操作がなかったと判断すると、Ｓ９に処理を進める。
【００３５】
ＣＰＵ２は、Ｓ９で、電話帳機能を使用する旨の操作がなされたか否か判断し、そのような操作があったと判断するとＳ１０で、保存用メモリ７に保存された電話帳データの検索や編集等を行なう電話帳モードの処理を実行し、Ｓ１に処理を戻す。一方、そのような操作がなかったと判断すると、Ｓ１１で、ユーザにより操作された内容に従った処理を実行した後、Ｓ１に処理を戻す。
【００３６】
図５は、上記したＳ１０の電話帳モードの処理のサブルーチンのフローチャートである。
【００３７】
まず、Ｓ１０１で、ＣＰＵ２は、表示部１０に電話帳に登録された名前のリストを表示させて、Ｓ１０２に処理を移行させる。Ｓ１０１では、表２〜表４に示したような、メモリ番号順、フリガナ順、または、グループ順の中の、前回電話帳モードで検索を行なった種類に対応する順で、リスト表示される。なお、携帯電話１では、メモリ番号順、フリガナ順、または、グループ順の、３種類での検索が可能である。そして、Ｓ１０１では、前回の検索で、メモリ番号について検索が行なわれた場合にはメモリ番号順でリスト表示され、フリガナについて検索が行なわれた場合にはフリガナ順でリスト表示され、グループについて検索が行なわれた場合にはグループ順でリスト表示される。また、携帯電話１では、リスト表示された段階で、当該リスト表示に対応した種類での検索に対しての条件を入力できる状態となっている。なお、電話帳モードにおける検索の内容については、後述する。
【００３８】
Ｓ１０２では、ＣＰＵ２は、ユーザが行なった操作の内容をチェックし、電話帳に新規の登録を行なう旨の操作がなされたと判断すればＳ１０３に、検索の種類を現在リスト表示が行なわれているものに対応する種類から変更する旨の操作がなされたと判断すればＳ１０４に、検索の条件の文字（仮名または数字）が入力されたと判断すればＳ１０５に、それぞれ処理を進める。
【００３９】
Ｓ１０３では、ＣＰＵ２は、電話帳に新規の人物等についての表１に示した各項目についての登録を行なう旨の処理を行なって、リターンする。
【００４０】
Ｓ１０４では、ＣＰＵ２は、入力された検索の種類に応じて表示部１０におけるリスト表示の内容を変更する等の、検索の種類を変更するための処理を実行して、Ｓ１０２に処理を戻す。
【００４１】
Ｓ１０５では、ＣＰＵ２は、現在行なわれている検索の種類に応じたリストから、入力された条件に応じた場所のデータを取出し、Ｓ１０６に処理を進める。なお、検索の種類に応じたリストとは、メモリ番号順で検索が行なわれる場合には表２のメモリ番号順リストであり、フリガナ順で検索が行なわれている場合にはフリガナ順リストであり、グループ順で検索が行なわれている場合にはグループ順リストである。
【００４２】
Ｓ１０６で、ＣＰＵ２は、直前で取出されたデータの中の名前を、表示部１０にリスト表示させて、Ｓ１０７に処理を進める。
【００４３】
Ｓ１０７では、ユーザが行なった操作の内容をチェックし、現在リスト表示されている中の選択された一人のデータを編集する操作がなされたと判断すればＳ１０９に、さらに検索条件である文字（仮名または数字）が入力されたと判断すればＳ１０８に、現在リスト表示されている中の選択された一人に電話の発信をする旨の操作がなされたと判断すればＳ１１１に、それぞれ処理を進める。
【００４４】
Ｓ１０９では、ＣＰＵ２は、編集するべき人についての詳細なデータ（表１に示されたデータ）を表示部１０に表示させた後、Ｓ１１０で、当該データに対してユーザの操作に従って編集を行なった後、リターンする。
【００４５】
Ｓ１０８では、ＣＰＵ２は、さらに入力された文字に応じて、それまでに取出したデータに対して絞込みを行なった後、Ｓ１０６に処理を戻す。以降のＳ１０６では、当該絞込みが行なわれた後のデータを、取出されたデータとして、リスト表示が行なわれる。
【００４６】
Ｓ１１１では、ＣＰＵ２は、選択された人に電話を発信する（発呼する）処理を行ない、そして、Ｓ１１２で、周知の通話処理を行なった後、リターンする。
【００４７】
ここで、Ｓ１０５およびＳ１０８におけるデータ取出し処理について、そのサブルーチンのフローチャートである図６を参照して説明する。
【００４８】
データ取出し処理では、ＣＰＵ２は、まずＳ１０５１で、現在の検索の種類に応じたリスト内に、ユーザから入力された文字に対応するデータが有るか否かを判断する。ユーザから入力された文字に対応するデータとは、たとえば、フリガナについて検索が行なわれている場合には、ユーザから入力された仮名を頭文字とする名前である。そして、ＣＰＵ２は、そのようなデータが有ると判断するとＳ１０５２に、無いと判断するとＳ１０５３に、それぞれ、処理を進める。
【００４９】
Ｓ１０５２では、ＣＰＵ２は、対応するデータを先頭に、現在の検索の種類に応じたリストに挙げられた順に、メモリ番号を取出すことにより、データの取出しを行ない、リターンする。
【００５０】
一方、Ｓ１０５３では、ＣＰＵ２は、対応するデータがあるべき位置の次の位置にあるデータを先頭に、現在の検索の種類に応じたリストに挙げられた順に、メモリ番号を取出すことにより、データの取出しを行ない、リターンする。対応するデータがあるべき位置の次の位置にあるデータとは、たとえば、フリガナについて検索が行なわれ、フリガナ順リストにおいて、「サタケサン」、「タカギサン」とデータが並べられているときに、「ス」という文字が入力された場合を考える。この場合、「ス」という文字を頭文字とするデータは無い。なお、「ス」という頭文字のデータがあるべき位置は「サタケサン」と「タカギサン」の間の位置である。そして、「ス」という頭文字のデータがあるべき位置の次の位置にあるデータとは、「タカギサン」というフリガナを有するデータである。したがって、当該データが、対応するデータがあるべき位置の次の位置にあるデータとされる。
【００５１】
以下に、図７〜図１７に示す表示部１０の表示態様を参照して、電話帳モードの処理について説明する。
【００５２】
図７は、フリガナ順の検索が行なわれる際に、Ｓ１０１の処理等において最初に表示される画面を示す図である。
【００５３】
図７を参照して、表示部１０内の欄７１には、現在表示されているデータの対象を示す標題が示され、領域７０には、当該標題に対応したデータ（電話帳の名前）が、フリガナ順リストに挙げられている順に、リスト表示されている。具体的には、領域７０には、フリガナ順リストの最初のグループである「ア」〜「オ」に属するデータが、順に表示され、欄７１には、「ア〜オ」という文字が表示されている。さらに、図７では、領域７０内に表示された先頭のデータの上にカーソル７２が表示されている。そして、欄７３には、カーソル７２を重ねられているデータについての電話番号が表示されている。
【００５４】
図７に示された画面が表示されているときに、ユーザが、ダイヤルボタン４０等を利用して仮名文字を入力すると、Ｓ１０５またはＳ１０８として説明したように、当該仮名文字に応じて、表示部１０に表示されるリストが変更される。
【００５５】
仮名文字として「サ」が入力された際に、表示部１０に表示される画面を図８に示す。
【００５６】
図８では、表示部１０内には、欄８１に、入力した仮名文字が、変換されることなく、表示されている。携帯電話１では、入力された仮名文字に対して、変換等の作業を要することなく、当該入力された仮名文字に対応したリスト表示が行なわれる。なお、データのリスト表示は、欄８１と同時に表示されている、領域８０で行なわれている。具体的には、領域８０では、入力された仮名文字「サ」から先頭にフリガナの頭文字が５０音順に、データが表示され、フリガナの頭文字が同じデータであれば、その次のフリガナが５０音の早い順に、データが表示されている。
【００５７】
図８では、発信またはデータ編集等の処理対象となるデータの上に、カーソル８２が表示され、当該処理対象となるデータの電話番号が欄８３に表示されている。
【００５８】
カーソル８２は、上キー３１または下キー３３を適宜操作することにより移動可能である。そして、カーソル８２の移動に伴って、処理対象となるデータも変更可能である。
【００５９】
そして、図８に示された状態から、さらに、仮名文字を入力されると、表示部１０の画面がさらに変更される。図８に示された状態から、仮名文字として、「タ」が入力された際の画面を図９に示す。
【００６０】
図９では、表示部１０内の欄９１には、ここまで入力されてきた仮名文字の「サ」と「タ」が、連続して表示されている。また、領域９０には、ここまで入力されてきた仮名文字の「サ」と「タ」が連続したもの、つまり、「サタ」を頭文字とするデータを先頭に、フリガナ順リストに挙げられている順に、データがリスト表示されている。
【００６１】
図１０は、グループ順の検索が行なわれる際に、Ｓ１０１の処理等において最初に表示される画面を示す図である。
【００６２】
図１０では、領域１００に、指定可能なグループの一覧が表示されている。なお、選択可能なグループの上には、カーソル１０１が表示されている。カーソル１０１は、上キー３１または下キー３３を適宜操作することにより移動可能である。そして、カーソル１０１の移動に伴って、処理対象となるグループも変更可能である。図１０に示された画面が表示された後、グループが選択されたときに表示される画面の一例を図１１に示す。
【００６３】
図１１を参照して、表示部１０の領域１１０には、選択されたグループについての、グループ順リスト内に挙げられた順でのリスト表示が行なわれている。この後は、上記したようなフリガナ順の検索とほぼ同様の処理が行なわれる。
【００６４】
つまり、たとえば「サ」という仮名文字が入力されると、図１２に示すように、表示部１０内の欄１２１に「サ」という文字が表示され、領域１２０内には、グループ順リスト内での、「サ」という頭文字を持つデータから先頭に、データがリスト表示されている。
【００６５】
そして、さらに、「タ」という仮名文字が入力されると、図１３に示すように、表示部１０内の欄１３１に「サタ」と表示され、領域１３０には、「サタ」という頭文字を持つデータを先頭に、グループ順リスト内で挙げられている順に、データがリスト表示される。
【００６６】
図１４は、メモリ番号グループ順の検索が行なわれる際に、Ｓ１０１の処理等において最初に表示される画面を示す図である。
【００６７】
図１４では、表示部１０内の領域１４０に、メモリ番号順に、データがリスト表示されている。なお、リスト表示されるメモリ番号の範囲が、欄１４１に示されている。そして、この状態から、ユーザによるダイヤルボタン４０等を用いた数字の入力の一例として、「３」が入力された場合に表示される画面を、図１５に示す。
【００６８】
図１５では、表示部１０内の欄１５１に、入力した「３」という数字が表示され、さらに、領域１５０には、メモリ番号の先頭が「３」であるものであって、メモリ番号の数が小さい順に、データがリスト表示されている。図１５に示す状態から、さらに、「４」という数字が入力された場合に表示される画面を図１６に示す。
【００６９】
図１６では、表示部１０内の欄１６１に、現在入力されている数字のすべてが連続して、つまり、「３４」という数字が、表示される。そして、領域１６０には、メモリ番号の先頭が「３４」であるものであって、メモリ番号の数が小さい順に、データがリスト表示されている。図１６に示す状態から、さらに、「５」という数字が入力された場合に表示される画面を図１７に示す。
【００７０】
図１７では、表示部１０内の欄１７１に、現在入力されている数字のすべてが連続して、つまり、「３４５」という数字が、表示される。そして、領域１７０には、メモリ番号が「３４５」であるものからメモリ番号の数が小さい順に、データがリスト表示されている。
【００７１】
以上説明した各図におけるカーソル９２，１１２，１２２，１３２，１４２，１５２，１６２，１７２は、カーソル８２と同様、処理対象となるデータの上に表示されるものであり、上キー３１または下キー３３を適宜操作することにより移動可能である。そして、これらのカーソルの移動に伴って、各画面において処理対象となるデータも変更可能である。
【００７２】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【００７３】
【発明の効果】
本発明によると、検索手段は、入力された仮名文字または数字を検索条件として、電話帳における名前を検索する。これにより、ユーザは、仮名文字を入力した場合には、仮名文字を入力するだけで、つまり、当該仮名文字に対して漢字変換等の変換作業を行なうことなく、検索結果を得ることができる。したがって、ユーザは、携帯通信機器において、容易な操作で、電話帳内の、所望する電話番号等の情報が検索結果として得ることができる。
【００７４】
また、本発明によると、ユーザは、複数の仮名文字または数字を順次入力することにより、それに応じて、検索結果に対する絞込みが可能となる。これにより、携帯通信機器において検索結果を得る際の利便性が向上する。
【００７５】
また、本発明によると、ユーザが仮名文字または数字を入力すれば、電話帳内の、それに対応する名前か、対応する名前がない場合には所定の条件に応じた名前が、検索結果とされる。つまり、ユーザは、仮名文字または数字を入力すれば、何らかの名前を、検索結果として得ることができる。したがって、たとえユーザが仮名文字または数字の入力を誤ったとしても、検索結果が全く得られないというのではなく、何らかの検索結果をユーザに与えることができるため、携帯通信機器の利便性を向上できる。
【００７６】
また、本発明によると、検索の条件となる仮名文字または数字と検索結果とが同時に表示されるため、入力した仮名文字または数字と検索結果の双方をユーザが確認でき、携帯通信機器の利便性を向上できる。
【００７７】
また、本発明によると、検索手段は複数種類の検索動作が可能であり、当該検索動作の種類は指定可能であり、かつ、検索動作開始手段が操作されると予め定められた種類の検索動作が実行される。つまり、当該検索動作の種類は指定可能であり、かつ、検索動作の種類を指定することなく検索動作を開始させることもできる。これにより、携帯通信機器の利便性を向上できる。
【００７８】
また、本発明によると、検索動作の種類を指定しなければ、前回行なわれた種類で、検索動作を開始させることができる。つまり、複数種類の検索動作が可能であり、かつ、頻繁に実行させる種類の検索動作を実行させる場合には容易な操作で当該種類の検索動作を実行させることができる。これにより、携帯通信機器の利便性を向上できる。
【図面の簡単な説明】
【図１】本発明の一実施の形態であるカメラ付携帯電話機のブロック構成図である。
【図２】図１のカメラ付携帯電話機の外観図である。
【図３】図１のカメラ付携帯電話機の外観図である。
【図４】図１のカメラ付携帯電話機のＣＰＵが実行するメインルーチンのフローチャートである。
【図５】図４に示された電話帳モードのサブルーチンのフローチャートである。
【図６】図５に示されたデータ取出し処理のサブルーチンのフローチャートである。
【図７】図１のカメラ付携帯電話機の表示部における表示態様の一例を示す図である。
【図８】図１のカメラ付携帯電話機の表示部における表示態様の一例を示す図である。
【図９】図１のカメラ付携帯電話機の表示部における表示態様の一例を示す図である。
【図１０】図１のカメラ付携帯電話機の表示部における表示態様の一例を示す図である。
【図１１】図１のカメラ付携帯電話機の表示部における表示態様の一例を示す図である。
【図１２】図１のカメラ付携帯電話機の表示部における表示態様の一例を示す図である。
【図１３】図１のカメラ付携帯電話機の表示部における表示態様の一例を示す図である。
【図１４】図１のカメラ付携帯電話機の表示部における表示態様の一例を示す図である。
【図１５】図１のカメラ付携帯電話機の表示部における表示態様の一例を示す図である。
【図１６】図１のカメラ付携帯電話機の表示部における表示態様の一例を示す図である。
【図１７】図１のカメラ付携帯電話機の表示部における表示態様の一例を示す図である。
【符号の説明】
２  制御部、３  カメラ部、４  作業用メモリ、５  保存処理部、７  保存用メモリ、８  表示用メモリ、１０  表示部、１１  カメラキー、１２  シャッタボタン、１３  通信制御部、１４  無線部、１５  アンテナ、１８  開始ボタン、１９  モードボタン、２０  圧縮処理部、２１  メモリ。
【図１】
2004357185.tif 000007
【図２】
2004357185.tif 000008
【図３】
2004357185.tif 000009
【図４】
2004357185.tif 000010
【図５】
2004357185.tif 000011
【図６】
2004357185.tif 000012
【図７】
2004357185.tif 000013
【図８】
2004357185.tif 000014
【図９】
2004357185.tif 000015
【図１０】
2004357185.tif 000016
【図１１】
2004357185.tif 000017
【図１２】
2004357185.tif 000018
【図１３】
2004357185.tif 000019
【図１４】
2004357185.tif 000020
【図１５】
2004357185.tif 000021
【図１６】
2004357185.tif 000022
【図１７】
2004357185.tif 000023